(57)【特許請求の範囲】
【請求項１】
内側に電気部品を内蔵すると共に、機械的キーのつまみ部を着脱可能に装着できる嵌込み部を形成した、電気的キーを構成する装置本体と、機械的キーと、装置本体に機械的キーを取り付けずに電気的キーの機能のみを利用するとき、上記嵌込み部に連通する装置本体の開口を封じる蓋体とを備え、一方、上記装置本体を２つの本体部片で構成し、これら２つの本体部片の間に機械的キーのつまみ部を挟んで装置本体に機械的キーを装着する場合と、装置本体に機械的キーを装着せず、上記開口を蓋体で閉塞する場合の何れの場合でも、本体部片及び機械的キーのつまみ部又は本体部片及び蓋体を共通の止めねじで固定するようにしたことを特徴とするキー装置。
【請求項２】
装置本体の一部にその地色とは異なる色彩のカラーチップを埋設したことを特徴とする請求項１に記載のキー装置。
【発明の詳細な説明】
【０００１】
【発明の属する技術分野】
この発明は、ドア等の錠装置を遠隔的に作動させて施解錠させることができるようにした電気的キーとしての機能と、ドア等の錠装置に直接差し込んでそれを施解錠させることができるようにした機械的キーとしての機能とを備え、両機能又は電気的キーとしての機能のみを選択的に利用するに適したキー装置に関する。
【０００２】
【従来の技術】
内蔵された電気部品と共に電気的キーを構成する装置本体に対し、機械的キーのステム部を該装置本体の開口から外部に露出させるようにして該機械的キーのつまみ部を着脱可能にさせたキー装置は、例えば、特開平８−１３５２６３号公報（特に従来の技術の項参照）に記載され、従来公知である。
【０００３】
しかしながら、従来のキー装置では、装置本体（ホルダ）は電気的キーとしての機能及び機械的キーとしての機能を共に用いることを前提として作られており、仮に機械的キーを取り外して電気的キーとしての機能のみを利用しようとすると、ステム部を外部へ露出させていた装置本体の開口が開放されたままとなるので、そこからごみや雨水等が侵入して電気部品に悪影響を与え、また、外観上の体裁も悪いなどの問題点がある。
【０００４】
【発明が解決しようとする課題】
この発明は、電気的キーとしての機能及び機械的キーとしての機能の両方又は電気的キーとしての機能のみを選択的に用いるに適したキー装置を提供することを目的としている。
【０００５】
この発明に係るキー装置では、特に電気的キーとしての機能のみを利用する際に、装置本体内にごみや雨水等が侵入することを防止でき、また、外観上の体裁も好ましいものとした。
【０００６】
更に、この発明のキー装置は、電気的キー及び機械的キーとしての複機能の使用であっても、電気的キーとしての単機能の使用であっても、その装置本体を共通して利用できるようにして、経済性の面を改善することも他の目的としている。
【０００７】
【課題を解決するための手段】
上記の目的を達成するため、この発明のキー装置は、内蔵された電気部品と共に電気的キーを構成する装置本体に対し機械的キーのステム部を該装置本体の開口から外部に露出させるようにして該機械的キーのつまみ部を着脱可能に装着させたキー装置において、装置本体に機械的キーを取り付けずに電気的キーの機能のみを利用する時、装置本体の開口を封ずるようにして該装置本体に蓋体を着脱可能に装着するようにしたことを特徴とする。
【０００８】
【発明の実施の態様】
以下、図面に示す２つの実施例に基いてこの発明について説明する。
図１〜図４はこの発明の第１実施例を、図５〜図８はこの発明の第２実施例をそれぞれ示している。
【０００９】
図１〜図４に示された第１実施例において、符号１は１つ又は複数の本体部片１１、１２から成り、図示しないリング又はチェン等の通し孔１３を有する装置本体、２は装置本体１等と共に電気的キーを構成する電気部品、３は機械的キー、４は蓋体である。
【００１０】
また、符号５は装置本体１の２つの本体部片１１、１２及び機械的キー３のつまみ部３１又は蓋体４を相互に固定するための固定手段としての止めねじ、６は同一のキー装置を例えば所有者が分るように識別させるため装置本体１に埋設された例えば合成樹脂材料から成るカラーチップをそれぞれ示している。
【００１１】
このカラーチップ６は、装置本体１の地色とは異なる色彩の合成樹脂材料から構成し、例えば同一の鍵違いのキー装置の複数を家族内で分け持つとき、その所有者を色彩により特定することもできるし、また、複数の部屋に対応する相互に異なる鍵違いの複数のキー装置を、色彩により部屋毎に区別して表示することもできる。
【００１２】
装置本体１は合成樹脂材料等で扁平にして中空に作られ、少くも１つの電気部品２が装着される装着部１４及び機械的キー３のつまみ部３１、すなわち頭部の一部又は全部が着脱可能に装着される嵌込み部１５を備えている。
【００１３】
また、装置本体１には、機械的キー３のつまみ部３１が装着された時、キー３のステム部３２が外方に延び出して外部において露出されるよう嵌込み部１５から外方に向けて形成された開口１６が備えてある。
【００１４】
前記の装置本体１に内蔵される電気部品２としては、図示例のような発振器としてのトランスポンダの他、発振器としてのトランスミッタ、電池、押しボタンその他のスイッチ手段等を挙げることができる。
【００１５】
少くも装置本体１及び電気部品２とで構成される上記の電気的キーは、ドア等の錠装置を無線で遠隔的に作動させて施解錠させることができるもので、その操作は電気的キーを錠装置の制御器に近接させ、又は、電気的キーのスイッチ手段のボタンを錠装置の制御器の近傍で押すことによって行われる。
【００１６】
また、上記した機械的キー３は、周知のように、ロータリーシリンダ錠、ディスクシリンダ錠、ピンシリンダ錠又はマグネチックタンブラシリンダ錠のような錠装置の鍵孔に直接差し込んで該錠装置の施解錠を行うものである。
【００１７】
なお、図面において、機械的キー３のウォード並びに鍵山（刻み）はその図示を省略してある。
【００１８】
上記した構成のキー装置は、例えば機械的キー無しで出荷しても、購入した使用者が機械的キー付きのキー装置に何時でも、かつ任意に機械的キー付きのキー装置に変換して使用することができる。
【００１９】
上記の電気的キーとしての機能及び機械的キーとしての機能を共に備えたキー装置にあっては、例えば、電気的キーを集合住宅の共通玄関のドアにおける錠装置に対して用いるようにし、また、機械的キーを戸室のドアにおける錠装置に対して用いるようにすることができる。
【００２０】
このように電気的キーと機械的キーとは各別の錠装置に対して用いてもよいが、両機能のキーを同一の錠装置に対して用いることもできる。
【００２１】
両方の機能を備えたキー装置を同一の錠装置に対して並列的に用いる場合は、一方の施解錠操作の系統が故障しても他方の系統をもって施解錠操作ができることになり、また、直列的に用いる場合は二重ロックが可能となる。
【００２２】
第１実施例の装置本体１について更に詳しく説明すると、該本体１は、２つの部片、すなわち正面側の本体部片１１と背面側の本体部片１２とで構成されている。
【００２３】
電気部品２が装着される装着部１４は背面側の本体部片１２の内面に一体に設けられた受片１４ａと正面側の本体部片１１の内面に一体に設けられたスペーサとしての突条１４ｂとから成る。
【００２４】
図中、符号１７、１８は本体部片１１、１２の対向面にそれぞれ一体に設けた複数の係合突片で、機械的キー３又は後に詳述する蓋体４を挟んで２つの本体部片１１、１２を組み付ける時、相互に係合して両部片１１、１２及び機械的キー３又は蓋体４の組み付けにおける位置決めがなされる。
【００２５】
また、符号１９、２０は本体部片１１、１２の嵌込み部１５にそれぞれ一体に突設した、機械的キー３又は蓋体４に対するスペーサとしての突条である。
【００２６】
この発明に係る第１実施例のキー装置において、電気的キーとしての機能及び機械的キーとしての機能を共に利用する時は、図１に示すように、本体部片１１、１２の嵌込み部１５において挟み付けられるようにして機械的キー３をセットする。
【００２７】
この際、背面側の本体部片１２の内面に一体に突設された例えば角筒状の差込み筒２１に機械的キー３のつまみ部３１における通し孔３３を嵌め込み、しかる後、背面側の本体部片１２に前記嵌込み筒２１と同心的に設けられたねじ挿通孔２２に対し外側から止めねじ５を差し込み、正面側の本体部片１１の内面に一体に突設された雌ねじ筒２３に該止めねじ５の先端側を螺合させる。
【００２８】
ここに、機械的キー３は、ステム部３２を装置本体１の開口１６から外部へ露出させるようにしてそのつまみ部３１を該装置本体１の嵌込み部１５に着脱可能に装着させたことになる。
【００２９】
なお、図１（Ｂ）に明示する装置本体１における正面側本体部片１１の下方に設けた切除部（切欠き）２４は、装着された機械的キー３のキー番号が隠れないようにするためのものである。
【００３０】
また、第１実施例のキー装置において、電気的キーとしての機能のみを利用する時は、図２に示すように、本体部片１１、１２の嵌込み部１５に対し前記の機械的キー３に代えて蓋体４をセットし、装置本体１の開口１６を封じる。
【００３１】
蓋体４は合成樹脂材料等で扁平に作られた１つ又は複数の蓋部片４１、４２から成る。第１実施例における蓋体４は製造上の都合で２つの蓋部片４１、４２から作られ、装置本体１に対し装着する時は蓋部片４１、４２はそれぞれの対向面に一体に設けた複数の係合突片４３、４４（図４参照）で互に係合され、その状態で装置本体１の嵌込み部１５に着脱自在にセットされる。
【００３２】
そして、この際、蓋体４の一部（図２で下方部分）が装置本体１の開口１６から外部へ露出し、換言すれば、蓋体４は装置本体１の開口１６に対する栓体の役割を果たし、もって該開口１６が封じられる。
【００３３】
蓋体４の装置本体１に対する組付けにおいては、装置本体１における背面側本体部片１２上の差込み筒２１に蓋体４における背面側蓋部片４２に設けた嵌め孔４５を嵌め込み、しかる後、背面側の本体部片１２のねじ挿通孔２２に止めねじ５を差し込み、正面側本体部片１１の雌ねじ筒２３に該止めねじ５の先端側を螺合させる。この蓋体４の組付けは、機械的キー３の組付けに準ずる。
【００３４】
図５〜図８にはこの発明の第２実施例を示す。この第２実施例において、図１〜図４の第１実施例と同一の符号で指し示す部材又は部位は等効の部材又は部位を表しているので、この例では第１実施例と構造上相違している部分についてのみ説明する。
【００３５】
第２実施例においては、蓋体４は単一の部片で作られており、装置本体１の嵌込み部１５に装着された時、該蓋体４はその一部が装置本体１から外部へ突出するようなことはなく嵌込み部１５内にその全体が納められる。
【００３６】
図５（Ｂ）及び（Ｄ）に示されるように、装着された機械的キー３のキー番号が隠れないようにするために、装置本体１における正面側本体部片１１の下方に設けた切除部２４はこの例では切欠きではなく窓として設けてある。
【００３７】
この窓２４は、図６（Ｃ）に示されるように、蓋体４が装着された時は、その蓋体４の一部によって開口１６と同様に封じられる。
【００３８】
上述の第１実施例及び第２実施例において、装置本体１の２つの本体部片１１、１２に対し機械的キー３のつまみ部３１又は蓋体４が選択的に組み付けられる時、いずれの場合も共通の止めねじ５で固定するようにしてある。この構成は合理的であり、また経済的にも有利である。
【００３９】
【発明の効果】
以上に説明したこの発明のキー装置によれば、機械的キーを装着せずに電気的キーとしての機能のみを利用する際に、機械的キーのために設けられた開口を蓋体で封ずるようにしたので、その開口から装置本体内にごみや水が侵入することを防止でき、また、外観上の体裁も好ましいものとすることができる。
【００４０】
更に、この発明のキー装置は、電気的キー及び機械的キーとしての複機能の使用であっても、電気的キーとしての単機能の使用であっても、その装置本体は共通した１つのものを利用できるので、経済性の面で有利である。
【図面の簡単な説明】
【図１】この発明のキー装置の第１実施例を機械的キーを装着した状態で示す図面で、（Ａ）は正面図、（Ｂ）は背面図、（Ｃ）は平面図、（Ｄ）は部分縦断側面図である。
【図２】その第１実施例から機械的キーを抜き取り蓋体を装着した状態で示す図面で、（Ａ）は正面図、（Ｂ）は背面図、（Ｃ）は縦断側面図である。
【図３】第１実施例の装置本体を示す図で、（Ａ）は正面側本体部片の内面図、（Ｂ）は背面側本体部片の内面図である。
【図４】第１実施例の蓋体を示す図で、（Ａ）は正面側蓋部片の内面図、（Ｂ）は背面側蓋部片の内面図である。
【図５】この発明のキー装置の第２実施例を機械的キーを装着した状態で示す図面で、（Ａ）は正面図、（Ｂ）は背面図、（Ｃ）は平面図、（Ｄ）は部分縦断側面図である。
【図６】その第２実施例から機械的キーを抜き取り蓋体を装着した状態で示す図面で、（Ａ）は正面図、（Ｂ）は背面図、（Ｃ）は縦断側面図である。
【図７】第２実施例の装置本体を示す図で、（Ａ）は正面側本体部片の内面図、（Ｂ）は背面側本体部片の内面図である。
【図８】第１実施例の蓋体を示す図で、（Ａ）は背面図、（Ｂ）は側面図、（Ｃ）は縦断側面図である。
【符号の説明】
１  装置本体
１１  本体部片
１２  本体部片
１６  開口
２  電気部品
３  機械的キー
３１  つまみ部
３２  ステム部
４  蓋体
【図１】
0003957813.tif 000002
【図２】
0003957813.tif 000003
【図３】
0003957813.tif 000004
【図４】
0003957813.tif 000005
【図５】
0003957813.tif 000006
【図６】
0003957813.tif 000007
【図７】
0003957813.tif 000008
【図８】
0003957813.tif 000009